(57)【要約】【課題】薄型構造を有するリモートコントローラおよびそれを有する遠隔操作ユニットを提供すること。【解決手段】このリモートコントローラ１は、遠隔操作機を遠隔操作するための装置である。このリモートコントローラ１では、所定情報を表示する表示器３と、遠隔操作機の操作に用いられると共に表示器３に電気的に接続される操作基板４２と、これらの表示器３および操作基板４２を収納するケース２とを備えている。また、表示器３と操作基板４２とがケース２内にて相互に重なることなくケース２の平面方向に並べて配置されている。【選択図】図２
2010272979.tif 000002
【特許請求の範囲】
【請求項１】
遠隔操作機を遠隔操作するためのリモートコントローラであって、
所定情報を表示する表示器と、前記遠隔操作機の操作に用いられると共に前記表示器に電気的に接続される操作基板と、前記表示器および前記操作基板を収納するケースとを備え、且つ、
前記表示器と前記操作基板とが前記ケース内にて相互に重なることなく前記ケースの平面方向に並べて配置されることを特徴とするリモートコントローラ。
【請求項２】
前記ケースが内部に固定用爪を有すると共に前記固定用爪を介して前記表示器が前記ケースに固定される請求項１に記載のリモートコントローラ。
【請求項３】
請求項１または２に記載のリモートコントローラと、前記リモートコントローラを用いて遠隔操作される遠隔操作機とを備えることを特徴とする遠隔操作ユニット。
【発明の詳細な説明】
【技術分野】
【０００１】
この発明は、リモートコントローラおよびそれを有する遠隔操作ユニットに関し、さらに詳しくは、薄型構造を有するリモートコントローラおよびそれを有する遠隔操作ユニットに関する。
【背景技術】
【０００２】
従来の遠隔操作機（例えば、給湯機など）を遠隔操作するためのリモートコントローラ（リモコン装置）は、所定情報を表示する表示器と、遠隔操作機の操作に用いられると共に表示器に電気的に接続される操作基板と、表示器および操作基板を収納するケースとを備えている。かかる従来のリモートコントコントローラでは、単一の操作基板上に表示器が接続されている。かかる構成を採用する従来のリモートコントローラとして、特許文献１に記載される技術が知られている。
【先行技術文献】
【特許文献】
【０００３】
【特許文献１】特開２００８−２８８０５３号公報
【発明の概要】
【発明が解決しようとする課題】
【０００４】
しかしながら、従来のリモートコントローラでは、表示器が操作基板上に配置されるので、ケースの厚さが表示器と操作基板との厚さにより大きくなるという課題がある。特に、表示器は、操作基板の前面に実装されている部品よりも厚いことが多いため、ケースの厚さに対して大きな影響を有する。
【０００５】
そこで、この発明は、上記に鑑みてなされたものであって、薄型構造を有するリモートコントローラおよびそれを有する遠隔操作ユニットを提供することを目的とする。
【課題を解決するための手段】
【０００６】
上記目的を達成するため、この発明にかかるリモートコントローラは、遠隔操作機を遠隔操作するためのリモートコントローラであって、所定情報を表示する表示器と、前記遠隔操作機の操作に用いられると共に前記表示器に電気的に接続される操作基板と、前記表示器および前記操作基板を収納するケースとを備え、且つ、前記表示器と前記操作基板とが前記ケース内にて相互に重なることなく前記ケースの平面方向に並べて配置されることを特徴とする。
【発明の効果】
【０００７】
この発明にかかるリモートコントローラでは、表示器と操作基板がケース内にて相互に重なることなくケースの平面方向に並べて配置されるので、ケースの厚さを小さくできる。かかる構成では、表示器が操作基板上に配置される構成と比較して、ケースを薄型化できる。これにより、リモートコントローラを薄型化できる利点がある。
【図面の簡単な説明】
【０００８】
【図１】図１は、この発明の実施の形態にかかるリモートコントローラの外観を示す正面図である。
【図２】図２は、図１に記載したリモートコントローラの内部構造を示すＡ−Ａ視断面図である。
【図３】図３は、図１に記載したリモートコントローラの内部構造を示す背面図である。
【発明を実施するための形態】
【０００９】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１０】
［リモートコントローラ］
図１は、この実施の形態にかかるリモートコントローラを示す正面図である。図２および図３は、図１に記載したリモートコントローラの内部構造を示すＡ−Ａ視断面図（図２）および背面図（図３）である。なお、図３は、リモートコントローラの背面ケースを取り外した状態を示している。
【００１１】
このリモートコントローラ(remote controller)１は、遠隔操作機（図示省略）を遠隔操作するための装置に適用される。例えば、この実施の形態では、遠隔操作機が給湯器（図示省略）であり、この給湯器を遠隔操作するためにリモートコントローラ１が用いられている。なお、このリモートコントローラと、遠隔操作機とを備えるユニットを遠隔操作ユニットと呼ぶ。また、リモートコントローラは、例えば、浴室の壁面に設置される（図示省略）。
【００１２】
リモートコントローラ１は、ケース２と、表示器３と、操作部４とを備える（図１〜図３参照）。
【００１３】
ケース２は、表示器３および操作部４を収容するためのケースである。このケース２は、前面ケース２１および背面ケース２２から成る前後二分割構造を有し、また、前面側に表示窓２３を有する。前面ケース２１は、リモートコントローラ１の前面部を構成する部分であり、表示器３および操作部４を収容可能な箱型形状（凹型形状）を有する。背面ケース２２は、リモートコントローラ１の背面部を構成する裏蓋である。そして、この背面ケース２２が前面ケース２１の箱型形状の開口部を塞いで前面ケース２１の背面に取り付けられることにより、表示器３および操作部４を収容するための空間がケース２内に形成される。なお、この実施の形態では、ケース２が正面視にて矩形状を有しており、ケース２内に矩形状の収容空間が形成されている。なお、前面ケース２１と背面ケース２２とは、例えば、相互に嵌め合わされてネジ止めされる。表示窓２３は、透明部材から成り、前面ケース２１の前面側の開口部に嵌め込まれて配置される。
【００１４】
表示器３は、所定情報（例えば、現在時刻、給湯温度など）を表示する部分であり、例えば、液晶パネルにより構成される。この表示器３は、その表示面３１をケース２の表示窓２３から覗かせつつ前面ケース２１内に収容されて配置される。これにより、表示器３の表示面３１をケース２の外部から表示窓２３越しに視認できる。また、表示器３は、前面ケース２１の内面に形成された固定用リブ２４および固定用爪２５を介して前面ケース２１に固定される。例えば、この実施の形態では、前面ケース２１の内面にて、固定用リブ２４が表示窓２３の外周に沿って形成され、また、複数の固定用爪２５が固定用リブ２４の外周を囲むように設けられている。そして、表示器３が固定用リブ２４に表示面３１側を当接させて配置され、この表示器３の外縁が固定用爪２５により保持されて固定されている。これにより、表示器３がケース２内にて上下左右に動かないように固定されている。なお、表示器３の表示面３１と前面ケース２１の表示窓２３との距離は、固定用リブ２４および固定用爪２５の寸法調整により適宜行われ得る。
【００１５】
操作部４は、遠隔操作機を操作するための手段（操作手段）であり、操作スイッチ４１と、操作基板４２とを有する。操作スイッチ４１は、例えば、複数の押しボタン式スイッチから成り、その頂面をケース２の前面側に突出させて配列される。操作基板４２は、所定の回路を有する基板であり、例えば、リジットプリント配線基板により構成される。この操作基板４２は、前面ケース２１の内面にネジ止めされて固定される。また、操作基板４２は、表示器３に接続端子３２を介して電気的に接続される。例えば、この実施例では、複数の接続端子３２が表示器３の側面に形成されている。これらの接続端子３２は、表示器３の側面から突出してケース２の背面側に屈曲する略Ｌ型形状の端部形状を有している。また、操作基板４２が複数の端子用貫通孔を有している。そして、表示器３の接続端子３２が操作基板４２の端子用貫通孔に挿入されてハンダ付けされることにより、表示器３と操作基板４２とが電気的に接続されている。
【００１６】
このリモートコントローラ１の組立工程では、まず、前面ケース２１が表示窓２３を底側にして配置され、この前面ケース２１内に表示器３が取り付けられる（図２および図３参照）。このとき、前面ケース２１内の固定用リブ２４および固定用爪２５に対して、表示器３が嵌め込まれて固定される。したがって、前面ケース２１に対する表示器３の固定および表示窓２３に対する表示器３の位置決めが容易に行われる。次に、操作基板４２が、その端子用貫通孔に表示器３の接続端子３２を挿入しつつ表示器３の側方に配置されて、前面ケース２１の内面にネジ止めされる。その後に、背面ケース２２が前面ケース２１に嵌め合わされて、組立工程が完了する。
【００１７】
［表示器と操作基板との配置構造］
ここで、このリモートコントローラ１では、表示器３と操作部４の操作基板４２とがケース２内にて相互に重なることなくケース２の平面方向に並べて配置される（図２および図３参照）。なお、ケース２の平面とは、表示器３の表示面３１（表示窓２３）と操作部４の操作スイッチ４１との配置面をいう。
【００１８】
例えば、この実施の形態では、上記のように、ケース２が矩形状の前面部を有している（図１参照）。そして、この矩形状の上側領域に表示器３の表示面３１が位置し、下側領域に操作部４の操作スイッチ４１が配列されている。また、ケース２の前面ケース２１が薄厚の箱型形状を有し、この前面ケース２１内に表示器３および操作基板４２が収容されて配置されている。そして、表示器３がケース２の表示窓２３の位置に合わせて配置されて、前面ケース２１に固定されている。また、操作基板４２がケース２の操作スイッチ４１の位置に合わせて配置されて、前面ケース２１に固定されている。そして、表示器３の側面と操作基板４２の端部とが接続端子３２を介して電気的に接続されている。このとき、表示器３と操作基板４２とが前面ケース２１の厚さ方向に重ねられることなくケース２の平面方向に並べて配置される。すなわち、表示器３が操作部４の操作基板４２上に配置されておらず、表示器３と操作基板４２とがケース２内にて平面的に異なる位置に配置されている。また、表示器３の厚さが操作基板４２の厚さよりも大きい。したがって、ケース２の厚さがほぼ表示器３の厚さとなっており、ケース２の薄型化が図られている。
【００１９】
［効果］
以上説明したように、このリモートコントローラ１では、表示器３と操作基板４２とがケース２内にて相互に重なることなくケース２の平面方向に並べて配置されるので、ケース２の厚さを小さくできる（図２および図３参照）。かかる構成では、表示器が操作基板上に配置される構成（図示省略）と比較して、ケース２を薄型化できる。これにより、リモートコントローラ１を薄型化できる利点がある。また、操作基板に表示器を固定するための操作基板上のスペースが不要となるため、操作基板４２を小型化できる。これにより、操作基板４２の取数が向上して、製品の低コスト化が可能となる利点がある。
【００２０】
また、このリモートコントローラ１では、ケース２が内部に固定用爪２５を有すると共に、この固定用爪２５を介して表示器３がケース２に固定される（図２および図３参照）。かかる構成では、表示器が操作基板上に配置される構成（図示省略）と比較して、操作基板４２に表示器３を固定するためのフレームやシールなどを省略できる。これにより、操作基板４２が簡素化されるので、製品の低コスト化が可能となる利点がある。
【産業上の利用可能性】
【００２１】
以上のように、この発明にかかるリモートコントローラおよびそれを有する遠隔操作ユニットは、リモートコントローラが薄型構造を有する点で有用である。
【符号の説明】
【００２２】
１     リモートコントローラ
２     ケース
２１   前面ケース
２２   背面ケース
２３   表示窓
２４   固定用リブ
２５   固定用爪
３     表示器
３１   表示面
３２   接続端子
４     操作部
４１   操作スイッチ
４２   操作基板
【図１】
2010272979.tif 000003
【図２】
2010272979.tif 000004
【図３】
2010272979.tif 000005